(57)【要約】【課題】  本発明は、コンピュータスクリーン上で垂直のスクロールバー及び水平のスクロールバーの対応する移動をコントロールするためのカーソルコントロール装置を提供することを目的とする。本発明の別の目的は、キーの数を増やさずに幾つかのオペレーティングモード間で切り替えられる機能の選択をユーザーにとって容易にする、ユーザーフレンドリーなカーソルコントロール装置を提供することである。【解決手段】  本発明は、コンピュータスクリーン上で垂直のスクロールバー及び水平のスクロールバーの対応する移動のコントロールが可能なカーソルコントロール装置に関する。さらに、カーソルコントロール装置は相当にユーザーフレンドリーであり、キー数を多大に増やすことなく、ユーザーが容易に幾つかのオペレーティングモード間で切り替えられる機能を選択することが利点である。【選択図】  図１
2006323801.tif 000002
【特許請求の範囲】
【請求項１】
マルチコントロールファンクションキーを有するカーソルコントロール装置であって、該装置は、
左コントロールファンクションキーと、右コントロールファンクションキーと、前記左コントロールファンクションキーと前記右コントロールファンクションキーとの間に位置するスクロールホイールとを含むカーソルコントロール本体と、
前記左コントロールファンクションキー、前記右コントロールファンクションキー及び前記スクロールホイールに隣接するマルチコントロールファンクションユニットとを含み、切替操作に応じてオペレーティングモードを切り替える信号を生じ、
前記左コントロールファンクションキー、前記右コントロールファンクションキー及び前記マルチコントロールファンクションユニットは、前記オペレーティングモードを切り替える信号が第一信号状態である場合に、カーソルオペレーティングモードですべて操作され、
前記左コントロールファンクションキー、前記右コントロールファンクションキー及び前記マルチコントロールファンクションユニットは、前記オペレーティングモードを切り替える信号が第二信号状態である場合に、前記カーソルオペレーティングモードと異なる別のオペレーティングモードですべて操作されることを特徴とするカーソルコントロール装置。
【請求項２】
前記マルチコントロールファンクションユニットは、
前記左コントロールファンクションキーと前記右コントロールファンクションキーに隣接し、前記切替操作に応じた異なる信号状態にしたがって前記オペレーティングモードを切り替える信号を生じるモード切替キーと、
前記モード切替キーに隣接し、前記オペレーティングモードを切り替える信号が前記第一及び第二操作状態である場合、異なるオペレーティングモードで必要とされるコントロール機能を提供する４指向性コントロールファンクションキーと、
を含むことを特徴とする請求項１に記載のカーソルコントロール装置。
【請求項３】
前記４指向性コントロールファンクションキーは、前記モード切替キーと共に５指向性のミニジョイスティックを協働して形成するように、前記モード切替キーの上下左右領域にそれぞれ隣接して位置し、前記モード切替キーの前記左右領域の前記コントロールファンクションキーは水平のスクロールバーの水平に移動する機能を提供し、前記モード切替キーの前記上下領域の前記コントロールファンクションキーはページアップ及びページダウン機能を提供し、前記左コントロールファンクションキー及び前記右コントロールファンクションキーは、一般的なマウス機能と同様の機能を提供することを特徴とする請求項２に記載のカーソルコントロール装置。
【請求項４】
前記カーソルオペレーティングモードと異なる前記別のオペレーティングモードは、マルチメディアオペレーティングモードであることを特徴とする請求項２に記載のカーソルコントロール装置。
【請求項５】
前記モード切替キーの前記左右領域の前記コントロールファンクションキーはマルチメディア装置のそれぞれ早送り及び巻戻し機能を提供し、前記モード切替キーの前記上下領域の前記コントロールファンクションキーは前記マルチメディア装置の音量の増減機能をそれぞれ提供し、前記左コントロールファンクションキー及び前記右コントロールファンクションキーは、それぞれ、前記マルチメディア装置の再生及び一時停止機能を提供することを特徴とする請求項４に記載のカーソルコントロール装置。
【請求項６】
前記マルチコントロールファンクションユニットはさらに、前記マルチメディア装置のミュート機能を提供するミュートコントロールファンクションキーを含むことを特徴とする請求項５に記載のカーソルコントロール装置。
【請求項７】
前記４指向性コントロールファンクションキーは、前記モード切替キーに隣接する４つのコントロールファンクションキーを含み、任意の２つのコントロールファンクションキーは前記モード切替キーの左右領域にそれぞれ位置し、他の２つのコントロールファンクションキーは共に前記モード切替キーの上若しくは下領域に位置し、又は、任意の２つのコントロールファンクションキーは前記モード切替キーの上下領域にそれぞれ位置し、他の２つのコントロールファンクションキーは共に前記モード切替キーの左若しくは右領域に位置することを特徴とする請求項２に記載のカーソルコントロール装置。
【請求項８】
前記カーソルオペレーティングモードと異なる前記別のオペレーティングモードは、ＥＸＣＥＬプログラムコントロールモード又はＷＯＲＤプログラムコントロールモードを含むプログラムコントロールのオペレーティングモードであることを特徴とする請求項１に記載のカーソルコントロール装置。
【発明の詳細な説明】
【技術分野】
【０００１】
本発明はカーソルコントロール装置に関し、より詳細には、マルチコントロールファンクションキーを有するカーソルコントロール装置に関する。
【背景技術】
【０００２】
コンピュータマウスなどカーソルコントロール装置の技術的開発の見地において、フォトセンシング（photosensing）技術は、カーソルコントロール装置の応用及び機能を高めるために、より重要である。
【０００３】
周知のように、従来のコンピュータマウスを操作する場合、コンピュータスクリーンなどのデジタルディスプレイ装置に表示される垂直のスクロールバーだけが垂直方向に移動される。しかしながら、水平のスクロールバーは、水平方向に移動されない。
【０００４】
多方向に画像をスクロールするためのホイールアセンブリを含む入力装置が開示されており、ここに参照としてその全体が組み込まれている（例えば、特許文献１参照。）。スクロールホイールを左右方向に回転することによって、コンピュータスクリーンに示される水平のスクロールバーは、左右の方向に移動するように位置される。
【０００５】
上述のアプローチは複雑なハードウェアの形態を必要とするので、この改善に掛かるコストは増大し、このアプローチは大量生産では問題となる。
【０００６】
一方、マルチメディア装置の急速な発展に伴って、別のタイプの従来のカーソルコントロール装置は、共通のカーソルコントロール機能に加えて、追加的なマルチメディアコントロールファンクションキーを有する。例えば、コンピュータマウスを例にあげる。コンピュータマウスがそれほど大きくなく、そのハウジングに、それぞれのコントロールファンクションキーの２つのグループ（例えば、カーソルコントロールファンクションキーのグループと、マルチメディアコントロールファンクションキーの別のグループ）が配置されるので、コンピュータマウスをコントロールするためのオペレーティングインターフェースは相当に大きくなる可能性がある。このオペレーティングインターフェースは、複雑に設計され、十分にユーザーフレンドリーではないので、コンピュータマウスを使用することで支障になる。
【０００７】
従来からの上述した問題において、出願人は、鋭意検討しながら、本発明によるマルチコントロールファンクションキーを有するカーソルコントロール装置の開発努力を続けてきた。
【特許文献１】米国特許第６，７００，５６４号明細書
【発明の開示】
【発明が解決しようとする課題】
【０００８】
本発明の目的は、コンピュータスクリーン上で垂直のスクロールバー及び水平のスクロールバーの対応する移動をコントロールするためのカーソルコントロール装置を提供することである。
【０００９】
本発明の別の目的は、キー数を増加せずに幾つかのオペレーティングモード間で切り替えられる機能の選択をユーザーにとって容易にする、ユーザーフレンドリーなカーソルコントロール装置を提供することである。
【課題を解決するための手段】
【００１０】
本発明の第一の態様と一致して、マルチコントロールファンクションキーを有するカーソルコントロール装置が提供される。カーソルコントロール装置は、カーソルコントロール本体と、マルチコントロールファンクションユニットとを含む。カーソルコントロール本体は、左コントロールファンクションキーと、右コントロールファンクションキーと、左コントロールファンクションキーと右コントロールファンクションキーとの間に位置するスクロールホイールとを含む。マルチコントロールファンクションユニットは、左コントロールファンクションキー、右コントロールファンクションキー及びスクロールホイールに隣接し、切替操作に対応してオペレーティングモードを切り替える信号を生じる。オペレーティングモードを切り替える信号が第一の信号状態である場合、左コントロールファンクションキー、右コントロールファンクションキー及びマルチコントロールファンクションユニットはすべてカーソルオペレーティングモードで操作される。オペレーティングモードを切り替える信号が第二の信号状態である場合、左コントロールファンクションキー、右コントロールファンクションキー及びマルチコントロールファンクションユニットはすべてカーソルオペレーティングモードとは異なる他のオペレーティングモードで操作される。
【００１１】
実施態様において、マルチコントロールファンクションユニットは、モード切替キーと、４指向性コントロールファンクションキーとを含む。モード切替キーは、左コントロールファンクションキー及び右コントロールファンクションキーに隣接し、切り替え操作に反応した異なる信号状態によってオペレーティングモードを切り替える信号を生じる。４指向性コントロールファンクションキーはモード切替キーに隣接し、オペレーティングモードを切り替える信号が第一及び第二の操作状態である場合、異なるオペレーティングモードで必要とされるコントロール機能を提供する。
【００１２】
実施態様において、モード切替キーと共に５指向性ミニジョイスティックを協働して形成するように、４指向性コントロールファンクションキーは、モード切替キーの上下左右のそれぞれの領域にそれぞれ隣接して配置される。モード切替キーの左右領域のコントロールファンクションキーは水平のスクロールバーの水平移動機能をそれぞれ提供し、モード切替キーの上下領域のコントロールファンクションキーはページアップ及びページダウン機能をそれぞれ提供し、左コントロールファンクションキーと右コントロールファンクションキーは通常のマウスと同様の機能を提供する。
【００１３】
実施態様において、カーソルオペレーティングモードと異なる他のオペレーティングモードは、マルチメディアオペレーティングモードである。
【００１４】
実施態様において、モード切替キーの左右領域のコントロールファンクションキーは、マルチメディア装置の早送り及び巻戻し機能をそれぞれ提供し、モード切替キーの上下領域のコントロールファンクションキーはマルチメディア装置の音量の増減機能をそれぞれ提供し、左コントロールファンクションキー及び右コントロールファンクションキーは、マルチメディア装置の再生及び一時停止機能をそれぞれ提供する。
【００１５】
実施態様において、マルチコントロールファンクションユニットはさらに、マルチメディア装置のミュート機能を提供するミュートコントロールファンクションキーを含む。
【００１６】
実施態様において、任意の２つのコントロールファンクションキーは、モード切替キーの左右領域にそれぞれ位置し、他の２つのコントロールファンクションキーは、両キーともモード切替キーの上又は下領域に位置する。代替として、任意の２つのコントロールファンクションキーは、モード切替キーの上下領域にそれぞれ位置し、他の２つのコントロールファンクションキーは、両キーともモード切替キーの左又は右領域に位置する。
【００１７】
実施態様において、カーソルオペレーティングモードと異なる他のオペレーティングモードは、プログラムコントロールのオペレーティングモードである。
【００１８】
好ましくは、プログラムコントロールのオペレーティングモードは、ＥＸＣＥＬ（登録商標）プログラムのコントロールモードか、又はＷＯＲＤ（登録商標）プログラムのコントロールモードを含む。
【００１９】
実施態様において、スクロールホイールは垂直方向の垂直のスクロールバーの移動機能を提供する。
【００２０】
本発明の第二の態様と一致して、カーソルコントロール装置に配置されるマルチコントロールファンクションユニットが提供される。カーソルコントロール装置は、カーソルコントロール本体と、スクロールホイールと、左コントロールファンクションキーと、右コントロールファンクションキーとを含む。マルチコントロールファンクションユニットは、モード切替キーと、複数のコントロールファンクションキーとを含む。モード切替キーは、カーソルコントロール本体のハウジングの表面に位置し、カーソルコントロール本体がカーソルオペレーティングモードを含む少なくとも２つのオペレーティングモードのいずれかで操作されるようにして、切替操作に応じてオペレーティングモードを切り替える信号を生じる。複数のコントロールファンクションキーは、カーソルコントロール本体のハウジング表面に位置する。複数のコントロールファンクションキーの少なくとも一つは、オペレーティングモードを切り替える信号が異なる操作状態にある場合、カーソルオペレーティングモードを含む異なるオペレーティングモードにおいて必要とされるマルチコントロール機能を提供することが可能である。
【００２１】
本発明の第三の態様と一致して、マルチコントロールファンクションキーを有するカーソルコントロール装置が提供される。カーソルコントロール装置は、カーソルコントロール本体と、モード切替キーと、複数のコントロールファンクションキーとを含む。カーソルコントロール本体は、カーソルの移動を制御するため、その本体のハウジング表面上のスクロールホイールを有し、スクロールホイールは垂直方向の垂直のスクロールバーの移動機能を提供する。モード切替キーはカーソルコントロール本体のハウジング表面に位置し、カーソルコントロール本体がカーソルオペレーティングモードを含む少なくとも２つのオペレーティングモードのいずれかで操作されるようにして、切替操作に応じてオペレーティングモードを切り替える信号を生じる。複数のコントロールファンクションキーは、カーソルコントロール本体のハウジング表面に位置する。実施態様において、少なくとも４つの複数のコントロールファンクションキーは、オペレーティングモードを切り替える信号が異なる操作状態にある場合、カーソルオペレーティングモードを含む異なるオペレーティングモードにおいて必要とされるマルチコントロール機能を提供することが可能である。
【００２２】
本発明の上記の目的及び利点は、下記の詳細な記載と添付図によって、当業者に明白となる。
【発明を実施するための最良の形態】
【００２３】
本発明は、下記の実施態様を参照して、より詳細に記載される。本発明の好ましい実施態様の下記の記載は、ここでは単に例示及び記載の目的で提供されることを注意する。開示された正確な形態に徹するか、又は限定することを意図しない。
【００２４】
本発明の原理的な概念は、カーソルコントロール装置の表面上の限定された数のファンクションキーの一部又はすべてにマルチコントロール機能を提供するように、モード切替キーを採用することによって実行される。このような方法において、カーソルコントロール装置は、水平のスクロールバーの対応する移動の制御が可能であり、ハードウェアの形態を大幅に変更し、キー数を増やすことをせずに、幾つかのオペレーティングモード間で切り替えられる機能をユーザーが容易に選択することが可能であり、それによって、カーソルコントロールの要求を満たす。
【００２５】
本発明の好ましい実施態様と一致して、幾つかの操作機能が提供可能なオペレーティングインターフェース、例えば、ミニジョイスティック又はタッチパッドが、本概念を実行するようにカーソルコントロール装置の表面に設置される。その後、ソフトウェアを設定することによって、オペレーティングモードの切替機能を提供するように、ある特定キーがプリセットされる。カーソル移動をコントロールするための残りの追加的なキー及び元来のコントロールファンクションキーは、マルチコントロールファンクションキーを有するカーソルコントロール装置として協働的に形成される。
【００２６】
図１を参照するに、本発明の第一の好ましい実施態様によるカーソルコントロール装置の概略図が例示される。典型的なカーソルコントロール装置１はコンピュータマウスである。コンピュータマウス１は、上部のハウジング１１と、下部のハウジング１２と、上部のハウジング１１と下部のハウジング１２との間のフォトセンシングモジュール（示されていない）とを含むカーソルコントロール本体とを有する。コンピュータマウス１はさらに、上部のハウジング１１の前端部に配置された左コントロールファンクションキー１１１と右コントロールファンクションキー１１２とを含む。スクロールホイール１１３は、垂直方向にスクリーン上の垂直のスクロールバーの移動をコントロールするように、左コントロールファンクションキー１１１と右コントロールファンクションキー１１２との間に配置される。
【００２７】
コンピュータマウス１はまた、左コントロールファンクションキー１１１と右コントロールファンクションキー１１２の上部領域に位置するマルチコントロールファンクションユニット１５を含む。マルチコントロールファンクションユニット１５は、４指向性コントロールファンクションキー１５１乃至１５４と、モード切替キー１５５とを含む。モード切替キー１５５は、異なる操作状態に応じて異なるオペレーティングモードを切り替える信号を生じるように設計される。４指向性コントロールファンクションキー１５１乃至１５４は、オペレーティングモードを切り替える信号が第一及び第二の操作状態である場合、異なる操作に必要とされる異なるコントロール機能を提供するように採用される。例えば、モード切替キー１５５を作動することによって、コンピュータマウス１はカーソルオペレーティングモードとマルチメディアオペレーティングモードとで切り替わる。この環境において、４指向性コントロールファンクションキー１５１乃至１５４は、異なるオペレーティングモードでマルチコントロール機能を提供するように活用される。マルチメディアオペレーティングモードにおいて、マルチメディア装置（示されていない）は、マルチメディア機能を実行するようにコントロールされる。マルチメディア装置の例は、ＤＶＤプレイヤーソフトウェア又はソングプレイヤーソフトウェアを含む。
【００２８】
代替として、左コントロールファンクションキー１１１及び右コントロールファンクションキー１１２の各々は、マルチコントロールファンクションキーとして設計されてよい。換言すると、左コントロールファンクションキー１１１及び右コントロールファンクションキー１１２の各々は、オペレーティングモードを切り替える信号が第一及び第二の操作状態にある場合、異なる操作において必要とされる、異なるコントロール機能を提供するように採用される。
【００２９】
実施態様において、コンピュータマウス１のモード切替キー１５５の操作メカニズムは、カーソルオペレーティングモードとマルチメディアオペレーティングモードとで切り替えられるように設計され、下記により詳細に記載される。
【００３０】
（１）カーソルオペレーティングモードにおいて、左コントロールファンクションキー１１１と右コントロールファンクションキー１１２は、それぞれ、一般的なコンピュータマウスの左右のボタンと同様の機能を提供する。スクロールホイール１１３は、垂直のスクロールバーのアップ／ダウンの移動機能を提供する。コントロールファンクションキー１５１及び１５２は、それぞれ、水平のスクロールバーの左右へ移動する機能を提供する。コントロールファンクションキー１５３及び１５４は、それぞれ、ページアップ及びページダウン機能を提供する。
【００３１】
（２）マルチメディアオペレーティングモードにおいて、左コントロールファンクションキー１１１と右コントロールファンクションキー１１２は、それぞれ、マルチメディア装置の再生／一時停止機能を提供する。同様に、スクロールホイール１１３は垂直のスクロールバーのアップ／ダウンの移動機能を提供する。コントロールファンクションキー１５１及び１５２は、それぞれ、マルチメディア装置の早送り及び巻戻し機能を提供する。コントロールファンクションキー１５３及び１５４は、それぞれ、音量の増減機能を提供する。
【００３２】
マルチコントロールファンクションユニット１５はさらに、下部のハウジング１２の側面に位置するミュートコントロールファンクションキー１５６を含む。ミュートコントロールファンクションキー１５６がマルチメディアオペレーティングモードで可能である場合、ミュートコントロール機能は、コンピュータマウス１に与えられる。
【００３３】
すなわち、モード切替キー１５５の手段によって、コンピュータマウス１は、カーソルオペレーティングモード又はマルチメディアオペレーティングモードで選択的に操作できる。カーソルオペレーティングモード及びマルチメディアオペレーティングモードの一つで関連するキーの機能に関するインストラクションは、適切なソフトウェアが協働して実行される場合に、リアルタイムでコンピュータスクリーンに表示される。この状況において、モード切替キー１５５をどのように操作するかをユーザーに提示される。しかしながら、本発明の教示を考慮する一方で、それぞれのマルチ機能の多数の修正及び変形が成されてよいことを当業者が容易に認識することに注意する。例えば、実際的な要求にしたがって、それぞれのマルチ機能はソフトウェアで設計できる。したがって、上述の開示は、単に請求項の範囲によってのみ限定されるべきである。
【００３４】
マルチコントロールファンクションユニット１５のファンクションキーのユーザーの動きに反応して生じた対応する信号は、コンピュータに構築された制御装置（示されていない）に伝達される。制御装置の例は、サウスブリッジチップ（ｓｏｕｔｈ  ｂｒｉｄｇｅ  ｃｈｉｐ）である。一般的なコンピュータマウスとコンピュータとの間の通信と同様に、マルチコントロールファンクションユニット１５からの信号は、シリアルポートＲＳ−２３２又は共通のＵＳＢ伝達インターフェースを介して、制御装置に伝達できる。その後、特定のソフトウェアプログラムの実行にしたがって、それらのファンクションキーに対応するコントロール操作は、生成された信号に反応して実施される。
【００３５】
ミニジョイスティック又はタッチパッドのハードウェアの形態と、カーソルコントロール本体にミニジョイスティック又はタッチパッドを設置するための方法は当業者に周知であり、ここでは冗長な記載はしない。
【００３６】
さらに、コンピュータマウス１のモード切替キー１５５は、カーソルオペレーティングモードとマルチメディアオペレーティングモードとの間で切り替えるように制限されない。代替として、モード切替キー１５５を使用することによって、コンピュータマウス１はカーソルオペレーティングモードとプログラムコントロールオペレーティングモードとの間で切り替えられてよい。プログラムコントロールオペレーティングモードの例は、ＥＸＣＥＬプログラムコントロールモード又はＷＯＲＤプログラムコントロールモードを含む。
【００３７】
カーソルコントロール本体は、トラックボールマウス又は光学マウスとなることができる。代替として、カーソルコントロール本体は、ワイヤーを有するマウスか、又はワイヤレスマウスとなることができる。
【００３８】
モード切替キー１５５に関連する４指向性コントロールファンクションキー１５１乃至１５４の位置は、製造者の設計にしたがって変更してよい。図２を参照するに、４指向性コントロールファンクションキー１５１乃至１５４はまた、左コントロールファンクションキー１１１と右コントロールファンクションキー１１２の上部領域に位置する。コントロールファンクションキー１５１及び１５２は、それぞれ、モード切替キー１５５の左右の側に位置し、一方で、コントロールファンクションキー１５３及び１５４は、モード切替キー１５５の下部領域に位置される。
【００３９】
図３を参照するに、４指向性コントロールファンクションキー１５１乃至１５４はまた、左コントロールファンクションキー１１１と右コントロールファンクションキー１１２の上部領域に位置する。コントロールファンクションキー１５３はモード切替キー１５５の上部領域に位置し、一方で、コントロールファンクションキー１５４はモード切替キー１５５の下部領域に位置する。コントロールファンクションキー１５１及び１５２の両キーは、モード切替キー１５５の左側に共に位置する。
【００４０】
図４を参照するに、本発明の第二の好ましい実施態様によるカーソルコントロール装置の概略図が例示される。カーソルコントロール装置２は、例えば、コンピュータマウスであり、上部のハウジング２１と、下部のハウジング２２と、スクロールホイール２１３と、左コントロールファンクションキー２１１と、右コントロールファンクションキー２１２と、マルチコントロールファンクションユニット２５とを含む。マルチコントロールファンクションユニット２５は、モード切替キー２５５とミュートコントロールファンクションキー２５６とを含む。ここに含まれる構成要素の操作原理は図１に示される原理と同様なので、ここでは冗長な記載はしない。対照的に、図４の実施態様において、４指向性コントロールファンクションキー２５１乃至２５４は、左コントロールファンクションキー２１１と右コントロールファンクションキー２１２の下部領域に位置し、それによって、ユーザーに対して、カーソルコントロール装置２の操作を容易にする。
【００４１】
上記の記載から、本発明のカーソルコントロール装置は、コンピュータスクリーンで垂直のスクロールバー及び水平のスクロールバーの対応する移動のコントロールが可能である。加えて、カーソルコントロール装置は相当にユーザーフレンドリーであり、キー数を多大に増やすことなく、ユーザーが容易に幾つかのオペレーティングモード間で切り替えられる機能を選択することが利点である。
【００４２】
本発明は最も実際的で好ましい実施態様に関して記載されたが、本発明が開示された実施態様に制限される必要がないことを理解するべきである。対照的に、すべての修正と同様の構成を包含するように、最も広い解釈と一致する請求項の趣旨及び範囲内に含まれる様々な修正や同様の構成を包含することを意図する。
【図面の簡単な説明】
【００４３】
【図１】本発明の第一の好ましい実施態様によるカーソルコントロール装置の概略図である。
【図２】４指向性コントロールファンクションキーが左コントロールファンクションキーと右コントロールファンクションキーの上部領域に位置する、図１の装置を変形したカーソルコントロール装置の概略図である。
【図３】４指向性コントロールファンクションキーが左コントロールファンクションキーと右コントロールファンクションキーの上部領域に位置する、図１の装置をまた別に変形したカーソルコントロール装置の概略図である。
【図４】本発明の第二の好ましい実施態様によるカーソルコントロール装置の概略図である。
【符号の説明】
【００４４】
１      コンピュータマウス
２      カーソルコントロール装置
１１    上部のハウジング
１２    下部のハウジング
１５    マルチコントロールファンクションユニット
２１    上部のハウジング
２２    下部のハウジング
２５    マルチコントロールファンクションユニット
１１１  左コントロールファンクションキー
１１２  右コントロールファンクションキー
１１３  スクロールホイール
１５１  ４指向性コントロールファンクションキー
１５２  ４指向性コントロールファンクションキー
１５３  ４指向性コントロールファンクションキー
１５４  ４指向性コントロールファンクションキー
１５５  モード切替キー
１５６  ミュートコントロールファンクションキー
２１１  左コントロールファンクションキー
２１２  右コントロールファンクションキー
２１３  スクロールホイール
２５１  ４指向性コントロールファンクションキー
２５２  ４指向性コントロールファンクションキー
２５３  ４指向性コントロールファンクションキー
２５４  ４指向性コントロールファンクションキー
２５５  モード切替キー
２５６  ミュートコントロールファンクションキー
【図１】
2006323801.tif 000003
【図２】
2006323801.tif 000004
【図３】
2006323801.tif 000005
【図４】
2006323801.tif 000006